(57)【要約】      （修正有）【課題】フラッシュランプのフラッシュチャンバ用の密閉貫通接続アセンブリに組み込まれたスパーカを提供する。【解決手段】フラッシュランプ１００用のベースアセンブリ１０２が開示される。ベースアセンブリ１０２は、一体化スパーカを有し、フラッシュランプ１００用のフラッシュチャンバの境界を規定する面を有する導電性ヘッダ１０４を含む。導電性ヘッダ１０４の面には開口１０６ａ〜１０６ｄがあり、開口１０６ａ〜１０６ｄ内には導電性のリード１１０ａ〜１１０ｄがある。導電性リード１１０ａ〜１１０ｄは、導電性ヘッダ１０４の周囲部分から電気的に絶縁される。導電性リード１１０ａ〜１１０ｄの末端は、導電性ヘッダ１０４の面と実質的に面一である。【選択図】図１Ａ
2017004940.tif 000002
【特許請求の範囲】
【請求項１】
フラッシュランプ用のベースアセンブリであって、
前記フラッシュランプ用のフラッシュチャンバの境界を規定する面を有する導電性ヘッダと、
前記導電性ヘッダの前記面の開口と、
前記開口内の導電性リードと、を備え、
前記導電性リードは前記導電性ヘッダの周囲部分から電気的に絶縁され、
前記導電性リードの末端は前記導電性ヘッダの前記面と実質的に面一である、ベースアセンブリ。
【請求項２】
前記開口内の電気絶縁性スリーブであって、前記導電性リードを前記導電性ヘッダの前記周囲部分から電気的に絶縁するように構成された電気絶縁性スリーブをさらに備える、請求項１に記載のベースアセンブリ。
【請求項３】
前記電気絶縁性スリーブの末端は前記導電性ヘッダの前記面と実質的に面一である、請求項２に記載のベースアセンブリ。
【請求項４】
前記導電性ヘッダの前記周囲部分は、フラッシュランプの動作時に、前記導電性リードと前記導電性ヘッダの前記周囲部分との間でアーク放電が発生するのに十分なほど導電性リードに接近しているが、フラッシュランプの動作時に、前記導電性リードと前記導電性ヘッダの前記周囲部分との間の望ましくないアーク放電を回避するのに十分なほど離れている、請求項２に記載のベースアセンブリ。
【請求項５】
前記導電性ヘッダの前記周囲部分は、前記導電性リードから０．１ｍｍ〜１．０ｍｍ離れて存在する、請求項４に記載のベースアセンブリ。
【請求項６】
前記導電性リードの末端は前記フラッシュチャンバに向かって露出する、請求項１に記載のベースアセンブリ。
【請求項７】
前記導電性リードの前記末端に物理的に取り付けられた導電性構成要素はない、請求項６に記載のベースアセンブリ。
【請求項８】
前記導電性ヘッダの前記面の前記開口は前記導電性ヘッダ全体を貫通し、
前記開口は、第１の直径を有する略円筒形の壁を有する外側部分と、第２の直径を有する略円筒形の壁を有する内側部分と、を有する段付き構成を有し、
前記第１の直径は前記第２の直径よりも大きい、請求項１に記載のベースアセンブリ。
【請求項９】
前記開口の前記大きい方の外側部分に封止材料をさらに備え、
前記封止材料は、前記導電性リードを囲んで前記導電性リードを物理的に支持する、請求項８に記載のベースアセンブリ。
【請求項１０】
前記導電性リードのうちの前記フラッシュチャンバの外の前記封止材料を越えて延びる部分は、前記フラッシュランプの外の電気回路に接続するように構成される、請求項９に記載のベースアセンブリ。
【請求項１１】
前記フラッシュランプの動作時に、トリガ電圧が前記導電性リードに印加されると、前記導電性リードは放電して紫外（ＵＶ）光を発生させ、前記紫外光により、前記フラッシュランプの電極が光電子を放射し、前記光電子は、前記フラッシュチャンバ内のキセノンガスをイオン化するように構成される、請求項１に記載のベースアセンブリ。
【請求項１２】
ベースアセンブリと、
前記ベースアセンブリに連結され、前記ベースアセンブリと共同してフラッシュチャンバを規定するカバーと、を備えるフラッシュランプであって、
前記ベースアセンブリは、
前記フラッシュチャンバの境界を規定する面を有する導電性ヘッダと、
前記導電性ヘッダの複数の開口と、
前記開口の各１つ内の導電性リードと、を備え、
前記導電性リードの各々１つは前記導電性ヘッダの周囲部分から電気絶縁され、
前記導電性リードの特定の１つの末端は前記導電性ヘッダの前記面と実質的に面一である、フラッシュランプ。
【請求項１３】
前記導電性リードの前記特定の１つは、前記フラッシュランプ用のスパーカとして機能するように構成される、請求項１２に記載のフラッシュランプ。
【請求項１４】
前記ベースアセンブリは、前記開口の特定の１つ内に存在し、前記導電性リードの前記特定の１つを前記導電性ヘッダの対応する周囲部分から電気絶縁するように構成された電気絶縁性スリーブをさらに備える、請求項１２に記載のフラッシュランプ。
【請求項１５】
前記導電性ヘッダの前記対応する周囲部分は、フラッシュランプの動作時に、前記導電性リードの前記特定の１つと前記導電性ヘッダの前記対応する周囲部分との間でアーク放電が発生するのに十分なほど前記導電性リードの特定の１つに接近しているが、フラッシュランプの動作時に、前記導電性リードの前記特定の１つと前記導電性ヘッダの前記対応する周囲部分との間の望ましくないアーク放電を回避するのに十分なほど離れている、請求項１４に記載のフラッシュランプ。
【請求項１６】
前記導電性ヘッダの前記周囲部分は、前記導電性リードの前記特定の１つから０．１ｍｍ〜１．０ｍｍ離れて存在する、請求項１４に記載のフラッシュランプ。
【請求項１７】
前記導電性リードの前記特定の１つ以外の前記導電性リードは、フラッシュランプの動作時に、アーク放電を防止するために、前記導電性ヘッダの前記周囲部分から十分に絶縁される、請求項１５に記載のフラッシュランプ。
【請求項１８】
前記導電性ヘッダの前記周囲部分は、前記導電性リードの前記特定の１つ以外の各前記導電性リードから１．０ｍｍ〜３．０ｍｍ離れて存在する、請求項１４に記載のフラッシュランプ。
【請求項１９】
前記導電性リードの前記特定の１つの末端は前記フラッシュチャンバに向かって露出する、請求項１４に記載のフラッシュランプ。
【請求項２０】
前記導電性リードの前記特定の１つの前記末端に物理的に取り付けられた導電性構成要素はない、請求項１９に記載のフラッシュランプ。
【請求項２１】
前記ベースアセンブリは、前記フラッシュチャンバ内の各２つの前記導電性リードの末端にある又は末端の近くにある電極をさらに備える、請求項２０に記載のフラッシュランプ。
【請求項２２】
前記ベースアセンブリは、前記フラッシュチャンバ内のもう１つの他の導電性リードの末端にある又は末端の近くにあるプローブをさらに備え、
前記プローブは、前記導電性リードの対応する１つから前記電極間の空間まで又は空間の近くまで延びる、請求項２０に記載のフラッシュランプ。
【請求項２３】
前記導電性ヘッダの前記面の各前記開口は前記導電性ヘッダ全体を貫通し、
前記開口の特定の１つは、第１の直径を有する略円筒形の壁を有する外側部分と、第２の直径を有する略円筒形の壁を有する内側部分と、を有する段付き構成を有し、
前記第１の直径は前記第２の直径よりも大きい、請求項１２に記載のフラッシュランプ。
【請求項２４】
前記開口の前記特定の１つの前記大きい方の外側部分に封止材料をさらに備え、
前記封止材料は、前記導電性リードの対応する１つを囲んで当該１つを物理的に支持する、請求項２３に記載のフラッシュランプ。
【請求項２５】
各前記開口に封止材料をさらに備え、
前記封止材料は、前記開口の各それぞれの１つ内の前記導電性リードの対応する１つを囲んで当該１つを物理的に支持する、請求項２３に記載のフラッシュランプ。
【請求項２６】
前記導電性リードの各々１つの一部分は、前記フラッシュランプの外の電気回路への接続のために、前記フラッシュチャンバの外の前記封止材料を越えて延びる、請求項２５に記載のフラッシュランプ。
【請求項２７】
前記ベースアセンブリは、前記フラッシュランプの動作時に、トリガ電圧が前記導電性リードの前記特定の１つに印加されると、前記導電性リードの前記特定の１つは放電して紫外（ＵＶ）光を発生させ、前記紫外光により、前記フラッシュランプの電極が光電子を放射し、前記光電子は、前記フラッシュチャンバ内のキセノンガスをイオン化するように構成される、請求項１２に記載のフラッシュランプ。
【請求項２８】
前記導電性リードの１つだけが前記開口の各それぞれの１つに存在する、請求項１２に記載のフラッシュランプ。
【発明の詳細な説明】
【技術分野】
【０００１】
本開示は、フラッシュランプ用スパーカに関し、より詳細には、フラッシュランプのフラッシュチャンバ用の密閉貫通接続アセンブリに組み込まれたスパーカに関する。
【背景技術】
【０００２】
フラッシュランプは、医療及び工業用分光線検査、レーザ励起、デジタル及びスタジオ写真撮影、警報ビーコン及びストロボ、ストロボ及び効果照明などの高性能フラッシュ及びアークランプ用途に光エンジンとして選択される傾向がある。一般的には、キセノン（Xenon）フラッシュランプ及びクリプトン（Krypton）フラッシュランプは、通常放射強度の高い広帯域光による、持続時間がマイクロ秒からミリ秒のパルスを発生させる限定的なアークフラッシュランプである。高反復速度で動作できるこれらのフラッシュランプは、通常、紫外線から赤外線までの連続スペクトルの光を発生させることができる。
【発明の概要】
【０００３】
一部のフラッシュランプ構造では、構造的に複雑であり、製造が困難で費用がかかることがある。改良が必要である。
【０００４】
一態様では、フラッシュランプ用のベースアセンブリが開示される。ベースアセンブリは、一体化スパーカを有し、フラッシュランプ用のフラッシュチャンバの境界を規定する面を有する導電性ヘッダを含む。導電性ヘッダの面には開口があり、開口内には導電性のリードがある。導電性リードは、導電性ヘッダの周囲部分から電気的に絶縁される。導電性リードの末端は、導電性ヘッダの面と実質的に面一である。
【０００５】
典型的な実施形態では、フラッシュチャンバ内で導電性リードの末端に物理的に取り付けられる導電体は何もない。
【０００６】
他の態様では、フラッシュランプは、ベースアセンブリと、ベースアセンブリに連結されたカバーと、を含む。カバー及びベースアセンブリは、共同してフラッシュランプ用のフラッシュチャンバを規定する。ベースアセンブリは、フラッシュチャンバの境界を規定する面を有する導電性ヘッダを含む。導電性ヘッダには複数の開口があり、開口の各１つ内には導電性のリードがある。各導電性リードは、導電性ヘッダの周囲部分から電気絶縁される。導電性リードの特定の１つの末端は、導電性ヘッダの面と実質的に面一である。
【０００７】
典型的な実施形態では、フラッシュチャンバ内で導電性リードの末端に物理的に取り付けられる導電体は何もない。
【０００８】
一部の実施形態では、次の利点の１つ又は複数が存在する。
【０００９】
例えば、本明細書に開示する構造体は、信頼できるフラッシュランプアセンブリに、特に、フラッシュランプ用のスパーカに対して、コンパクトで低価格の単純な構造をもたらす。典型的な実施形態では、スパーカは、フラッシュランプ内の電極の仕事関数を小さくし、それにより、フラッシュ間のばらつきの可能性及び深刻度を低くする。
【００１０】
本明細書で詳細に説明するように、スパーカは、フラッシュランプの密閉貫通接続ヘッダに直接組み込まれる。これは、基本的に、現在のより複雑なサブアセンブリ構造をなくし、サブアセンブリ構造を貫通接続部の封止作業時に形成される単純な差し込み式部品に置き替える。これは、フラッシュランプ及び付属スパーカに係わる労働、コスト及び作業のばらつきを低減する。さらに、光放射体（すなわち、スパーカ）を主ランプ放電から離れた平坦な接地面に置く又は実質的に接地面に置くことで、主放電の外部電波及び圧力波効果を切り離すことができる。
【００１１】
さらに、一部の実施形態では、スパーカを平坦な接地面に置くことで、密閉貫通接続部に溶接される分離型のスパークサブアセンブリを追加した際に特有であった電気インダクタンスが小さくなる。電気インダクタンスは、時間遅延を引き起こし、スパーカ放電のエネルギを減少させる傾向があるので、電気インダクタンスの任意の増大は通常望ましくない。
【００１２】
本明細書で開示する構造体及び技術は、労働コスト及び材料コストを節減するのに寄与することができる。さらに、本明細書で開示する構造体及び技術は、他のフラッシュランプ構造に勝る、改善された信頼性及び性能に基づく、競争力のある利点を得る機会をもたらす。
【００１３】
他の特徴及び利点が、説明及び図面から、並びに、特許請求の範囲から明らかになるであろう。
【図面の簡単な説明】
【００１４】
【図１Ａ】カバーを取り除いた例示的なフラッシュランプの概略的な平面図である。
【図１Ｂ】図１Ａの例示的なフラッシュランプの側断面図である。
【図２】カバーが定位置にある、図１Ａの例示的なフラッシュランプの概略的な側断面図である。
【図３】図２の例示的なフラッシュランプの斜視図である。
【図４】図３のフラッシュランプ用の例示的な製造方法の流れ図である。
【図５Ａ】絶縁性リングを横断して発生したアーク放電を示す写真である。
【図５Ｂ】絶縁性リングを横断して発生したアーク放電を示す写真である。
【図６】本明細書に開示したものと同様のスパーカアセンブリに関する電圧対時間のグラフである。
【図７Ａ】カバーを取り除いた別の例示的なフラッシュランプの概略的な平面図である。
【図７Ｂ】カバーが定位置にある、図７Ａの例示的なフラッシュランプの側断面図である。
【発明を実施するための形態】
【００１５】
同じ参照数字は同じ要素を示す。
【００１６】
図１Ａは、カバーを取り除いた例示的なフラッシュランプ１００の平面図である。図１Ｂは、図１Ａに１Ｂ−１Ｂで示した線に沿って切り取ったフラッシュランプ１００の側断面図である。図１Ａ及び図１Ｂに示すフラッシュランプ１００は、極度に強い、非干渉性の全スペクトル白色光をきわめて短い持続時間にわたって発生させるように構成された電気アークランプである。典型的な実施形態では、図１Ａ及び図１Ｂのフラッシュランプ１００は、それ自体で有益であり、さらに、より単純なフラッシュランプ製造方法をもたらす特定の構造的態様を有する。
【００１７】
示したフラッシュランプ１００は、図１Ａ又は図１Ｂでは具体的に特定されないが、ベースアセンブリ１０２と、図１Ａ又は図１Ｂに示していないカバーと、によって規定される密閉空間であるフラッシュチャンバを有する。図１Ａでは、フラッシュチャンバは、ページの外に延びるように構成され、図１Ｂでは、フラッシュチャンバは、示したベースアセンブリ１０２の左に延びるように構成される。典型的な実施形態では、フラッシュチャンバは、フラッシュランプ１００から発生するフラッシュを収容する密閉封止型のコンパートメントである。さらに、典型的な実施形態では、フラッシュチャンバを部分的に規定するカバーは、フラッシュで生じた光がフラッシュチャンバを出ることを可能にする窓を含む。
【００１８】
図示した実施形態では、ベースアセンブリ１０２は、ヘッダ１０４と、ヘッダ１０４によって、直接的に又は間接的に支持されるいくつかの構成要素と、を有する。ヘッダ１０４は、実質的に、任意の種類の材料とすることができる。典型的な実施形態では、ヘッダ１０４は、導電性材料である又は導電性材料を含む。１つの特定の例示的な実施形態では、ヘッダは、例えば、米国、Delawareに所在のCRS Holdings, Inc.から販売されているKovar（商標）材料でできている。他の多数の材料が同様に使用可能である。
【００１９】
ヘッダ１０４は略ディスク状であり、一端で半径方向外側に延びるフランジ１０５を有する。フランジ１０５は、カバーをヘッダ１０４に固定する助けとするために使用することができ、及び／又は、フラッシュランプ１００全体を他の何らかの外部取付面（図１Ａ及び図１Ｂには示していない）に固定する助けとすることができる。例えば、接着剤、はんだ、ねじなどの固定装置を含む様々な留め具を使用して、カバーをヘッダ固定し、フラッシュランプ１００全体を外部取付面に固定することができる。
【００２０】
図示した実施形態において、ヘッダ１０４は、５つの開口１０６ａ〜１０６ｅを規定し、各開口は、実質的に長手方向に、フラッシュチャンバの外のヘッダ１０４の第１の面１０７から、ヘッダ１０４を通って、フラッシュチャンバ内のヘッダ１０４の第２の面１０９に延びている。
【００２１】
１つの開口１０６ｅは、他の開口から離れたヘッダ１０４の外縁に近く、実際には、（例えば、キセノン又は他のガスをフラッシュチャンバに注入するために）フラッシュランプの製造方法実施時にのみ使用され、その後、封止される又は潰される。この点について、チューブ１１２は、ヘッダ１０４の開口１０６ｅを貫通する。このチューブ１１２は、通常、フラッシュランプ１００の製造時に、ガス（例えば、キセノン及び／又は他のガス）をフラッシュチャンバに導入するために使用される。チューブ１１２は、ガスが導入されると通常封止され、チューブ１１２は、その他の点では、フラッシュ管の機能において役割を果たさない。一般的に、キセノンは、特定のタイプのフラッシュランプにおいて、励起を容易にするために使用することができる。例示的な実施形態では、その開口１０６ｅ及びチューブ１１２は、少なくとも、ガス（例えば、キセノン）がフラッシュチャンバに注入された後、開口１０６ｅが封止されるか又は潰されるまで、全体にわたって直径が比較的一定である略円筒形の直径部を有する。この開口１０６ｅ及びチューブ１１２については、下記に説明する製造方法に関連して言及する場合を除いて、これ以上詳細に説明しない。
【００２２】
４つの開口１０６ａ〜１０６ｄは、ヘッダ１０４の軸方向中心線を囲むように配置されている。さらに、各開口（例えば、開口１０６ａ）は、その軸方向中心線が、他の開口（例えば、１０６ｂ〜１０６ｄ）の軸方向中心線と、ヘッダ１０４の軸方向中心線からほぼ等距離にあるように配置されている。これらの４つの開口は、ヘッダの軸方向中心線のまわりに角度間隔をなして、約９０度の間隔で互いからずれている。
【００２３】
３つの開口１０６ａ〜１０６ｃは、ヘッダ１０４の外側面１０７からヘッダ１０４の内側面１０９までほぼ一様に延びる略円筒形の壁を有する。一部の実施形態では、ヘッダ１０４の内側面１０９の近くで、きわめてわずかに直径が縮小しているが、それ以外では、ほぼ一定の直径を有する。これらの開口の４番目１０６ｄは、第１の（大きい方の）直径を有する略円筒形の壁を備えた外側部分１１４ａと、第２の（小さい方の）直径を有する略円筒形の壁を備えた内側部分１１４ｂと、を規定する段付き構成の壁を有する。図示した実施形態では、開口１０６ａ〜１０６ｃ及び開口１０６ｄの外側部分の直径は実質的に同じである。
【００２４】
ヘッダ１０４の各４つの開口１０６ａ〜１０６ｄは、シール１０８ａ〜１０８ｄを形成する封止材料を充填され、シール１０８ａ〜１０８ｄは、４つの導電性リード１１０ａ〜１１０ｄの対応する１つを囲んで物理的に支持し、４つの導電性リード１１０ａ〜１１０ｄは、封止材料を貫通してフラッシュチャンバの外からフラッシュチャンバに延びている。
【００２５】
シール１０８ａ〜１０８ｄは、様々な異なる封止材料の任意の１つで作製されることができる。一方、典型的な実施形態では、各シール１０８ａ〜１０８ｄは、ガラスなどの電気絶縁材料からできている又は電気絶縁材料を含む。さらに、各導電性リード１１０ａ〜１１０ｄは、封止材料が、各導電性リードを、やはり通常導電性であるヘッダ１０４の周囲部分から電気絶縁するように、対応するシールのほぼ中心を貫通している。
【００２６】
各シール１０８ａ〜１０８ｄは、実現可能な様々な構成を有することができる。一方、図示した実施形態では、各シール１０８ａ〜１０８ｄは略環状である。さらに、３つのシール１０８ａ〜１０８ｃは、ヘッダ１０４の内側面１０９と実質的に面一であるが、ヘッダ１０４の外側面１０７に対してわずかに引っ込むように構成されている。これらのシール１０８ａ〜１０８ｃでは、封止材料は、対応の封止材料が配置された開口を一部分のみ埋める。
【００２７】
第４の貫通接続部シール１０８ｄは、ベースアセンブリ１０２の外側面と実質的に面一であるように構成されている。この貫通接続部シール１０８ｄは、開口１０６ｄの外側（広い方）部分１１４ａを実質的に完全に埋めるが、開口１０６ｄの内側（狭い方）部分１１４ｂに全く入らない。
【００２８】
各導電性リード１１０ａ〜１１０ｄは、フラッシュを発生させ、及び／又は、制御することに寄与する。この点について、各導電性リード１１０ａ〜１１０ｄは、対応の回路部品に接続されることができる、フラッシュチャンバの外に配置された第１の端部と、フラッシュチャンバに向かって露出した第２の端部と、を有する。３つの導電性リード１１０ａ〜１１０ｃは、端から端までほぼ一定の直径を有する。
【００２９】
フラッシュランプ用のスパーカ電極機能を手助けする他の導電性リード１１０ｄは、第１の（大きい方の）直径を有する第１の部分１１１ａ（フラッシュチャンバの外）と、第２の（小さい方の）直径を有する第２の部分１１１ｂと、第１の大きい方の直径部分１１１ａと第２の小さい方の直径部分１１１ｂとの間のテーパ部とを含む段付き構成を有する。
【００３０】
図示した実施形態における導電性リード１１０ｄの第２の（直径が小さい方の）部分１１１ｂは、導電性リード１１０ｄの第２の（直径が小さい方の）部分１１１ｂをヘッダ１０４の周囲部分から電気絶縁する電気絶縁性スリーブ１１５を有する。この点について、導電性リード１１０ｄの第２の（直径が小さい方の）部分１１１ｂ及び電気絶縁性スリーブ１１５は、ヘッダ１０４の内側面とほぼ同一平面上から、開口のうちの封止材料１０８ｄを充填された部分に後退して、この部分の中に延びている。電気絶縁性スリーブ１１５は、例えば、セラミック材料などの様々な異なる材料の任意の１つから作製されることができる。
【００３１】
３つの導電性リード１１０ａ〜１１０ｃは、ベースアセンブリ１０２の内縁を越えてフラッシュチャンバの中にかなり延びている。これらの３つの導電性リード１１０ａ〜１１０ｃがフラッシュチャンバの中に延びる実際の距離は異なってもよい。しかしながら、通常では、図示するように、３つすべては、フラッシュチャンバの中にほぼ等しく延びている。
【００３２】
上記のように、導電性リード１１０ｄ及びその絶縁性スリーブ１１５は、それらの末端が、ヘッダアセンブリ１０４の内側面１０９と実質的に面一であるように構成されている。この点について、実質的に面一とは、ほぼ又は全く面一であることを意味すると解釈すべきである。導電性リード１１０ｄの末端及び絶縁性スリーブ１１５の末端は、少し（例えば、最大で約０．５ｍｍ）だけヘッダ１０４の内側面１０９を越えて延びるとしても、内側面１０９とほぼ面一とみなすことができる。さらに、導電性リード１１０ｄの末端及び絶縁性スリーブ１１５の末端は、少し（例えば、最大で約０．５ｍｍ）だけ内側面１０９に対して引っ込んでいるとしても、内側面１０９とほぼ面一とみなすことができる。
【００３３】
典型的な実施形態では、導電性リード１１０ｄの末端及び絶縁性スリーブ１１５の末端は、互いに実質的に面一である。しかしながら、これは必要条件ではない。実際上、一部の実施形態では、導電性リード１１０ｄの末端及び絶縁性スリーブ１１５の末端は、０．５ｍｍ程度互いに対してずれている。
【００３４】
図１Ａ及び図１Ｂに示すように、導電性リード１１０ｄの末端は、ヘッダ１０４の内縁と実質的に面一であり、フラッシュチャンバに向かって露出している。さらに、典型的な実施形態では、並びに、図１Ａ及び図１Ｂに示すように、フラッシュチャンバ内で導電性リード１１０ｄの末端に物理的に取り付けられたものは何もなく、当然、導電性のものは何もない。電気絶縁性スリーブ１１５は、導電性リード１１０ｄの末端部分を（それ自体導電性である）ヘッダ１０４の周囲部分から電気絶縁するが、導電性リード１１０ｄの末端は覆うものがなく、フラッシュチャンバに向かって露出したままである。
【００３５】
図示した実施形態によれば、第４の開口１０６ｄの直径が小さい方の部分１１４ｂは、導電性リード１１０ｄの直径が小さい方の部分１１１ｂと、導電性リード１１０ｄの直径が小さい方の部分１１１ｂを囲む電気絶縁性スリーブ１１５とを隙間なく収容するような大きさとされている。電気絶縁性スリーブ１１５は、外周及び長さ全体のまわりに実質的に均一な厚さを有する。この厚さは、主に、フラッシュチャンバ内の導電性リード１１０ｄの露出した末端と、導電性ヘッダ１０４の周囲部分との間の距離を規定する。一般的に、この距離は、適切な動作環境下で、アーク放電がこの距離を横断して発生することができるように十分に短いが、この距離を横断する、望ましくないアーク放電の発生を回避するのに十分に長くなければならない。典型的な実施形態では、この距離は０．２ｍｍ〜０．５ｍｍである。
【００３６】
機能上、２つの導電性リード１１０ｂ、１１０ｃは、フラッシュランプ１００用の電極リードとして働く。従って、各これらの導電性リード１１０ｂ、１１０ｃは、フラッシュチャンバ内のその末端に（又は末端の近くに）、アークランプ（又はフラッシュランプ）電極１１６ｂ、１１６ｃを有する。図示した実施形態では、導電性リード１１０ｂ及びそのアークランプ電極１１６ｂの物理的配置は、導電性リード１１０ｃ及びそのアークランプ電極１１６ｃの物理的配置の実質的に鏡像である。典型的な実施形態では、アークランプ電極の一方（例えば、１１６ｂ）は、正電圧を受けるように接続され、それに対して、アークランプ電極の他方（例えば、１１６ｃ）は、負電圧を受けるように接続されるので、アークランプ電極１１６ｂ、１１６ｃ間に印加された電圧差によって、アークランプ電極１１６ｂ、１１６ｃ間の空間に電気アークを発生させることができる。
【００３７】
フラッシュチャンバ内のもう１つの他の導電性リード１１０ａの末端に（又は末端の近くに）プローブ（ワイヤ）１１８が接続されている。このプローブ１１８は、導電性リード１１０ａからアークランプ電極１１６ｂ、１１６ｃ間の空間に又は空間の近くに延びている。通常では、及び図示した実施形態に示すように、プローブ１１８の末端は、アークランプ電極１１６ｂ、１１６ｃ間のほぼ中間（又は中間の近く）である。一般的に、フラッシュランプ１００の動作時に、アークランプ電極１１６ｂ、１１６ｃ間に延びるアークに影響を及ぼすために、導電性リード１１０ａを介して、プローブ１１８に電圧を印加することができる。図示した実施形態では、プローブ１１８は、その導電性リード１１０ａからアークランプ電極１１６ｂ、１１６ｃ間の空間に向かって、実質的に直角方向に延びている。
【００３８】
上記のように、導電性リード１１０ｄの末端は、ヘッダ１０４の内側面と実質的に面一であり、フラッシュチャンバに向かって露出している。電気絶縁性スリーブ１１５の端部も、ベースアセンブリ１０２の内側面と実質的に面一であり、導電性リード１１０ｄの末端をヘッダ１０４の周囲部分から電気絶縁している。さらに、導電性リード１１０ｄの末端及び電気絶縁性スリーブ１１５の端部は、ベースアセンブリ１０２を貫通している第４の開口１０６ｄの、直径が小さい方の部分１１４ｂの内側端部を通って、フラッシュチャンバに向かって露出している。
【００３９】
典型的な実施形態では、機能上、導電性リード１１０ｄと、絶縁性スリーブ１１５と、導電性ヘッダ１０４の周囲の隣接部分との露出部分は、スパーカ電極（例えば、一体化共振光子放射体）として働いて、フラッシュランプ１００の様々な動作態様を調整及び改善する助けとなる。例えば、一部の実施形態では、この光子放射装置は、有利にも、フラッシュごとの出力レベルの安定、及びその後のフラッシュ間のタイミングを制御及び／又は改善するのに寄与することができる。このために、典型的な実施形態では、フラッシュランプの動作時に、スパーカ電極は、トリガ電圧がスパーカ電極に印加されたときに、スパーカ電極が放電を開始し、それによって、紫外（ＵＶ）光を発生させるように接続することができる。ＵＶ光により、電極１１６ｂ、１１６ｃは光電子を放射し、次いで、この光電子は、フラッシュチャンバ内のキセノンガスをイオン化する。これは、電極１１６ｂ、１１６ｃ間のアーク放電を安定させる傾向がある。
【００４０】
各導電性リード１１０ａ〜１１０ｄは、リードの機能的役割に適切な、対応する電気接続部（例えば、電圧源又は接地接続部）に取り付けるために、フラッシュチャンバの外に延びる部分を有する。
【００４１】
図２は、定位置にカバー２５０があるフラッシュランプ１００を示している。図示したカバー２５０は、その開口端の外周のまわりに延びる、外方突出フランジ２５２を有する。図示した実施形態のカバー２５０のフランジ２５２は、ベースアセンブリ１０２の対応するフランジ１０５に固定して連結されている。この連結は、例えば、接着剤又は溶接若しくははんだ付け連結を含む複数の使用可能な固定手段の任意の１つを使用して行うことができる。
【００４２】
図示した実施形態のベースアセンブリ１０２及びカバー２５０は、フラッシュチャンバ２５６を共同して規定する。図示した実施形態のカバー２５０は、フラッシュが透過してフラッシュチャンバ２５６から出て行くことができる材料（例えば、ガラスなど）でできた窓２５３を有する。一部の実施形態では、カバー２５０の残部は、フラッシュチャンバ２５６内で発生したフラッシュに対して実質的に不透明である。
【００４３】
図３は、図２の例示的なフラッシュランプ１００の斜視図を示している。図３は、窓２５３がカバー２５０の上側面にあるカバー２５０を明瞭に示している。導電性リード１１０ａ〜１１０ｄの一部が下方に、フラッシュランプ２００の底部から外に延びているのが分かる。
【００４４】
本明細書で開示したフラッシュランプ１００は、簡単に製造可能な比較的単純でコスト効率のよい構造をもたらす。
【００４５】
この点について、図４は、本明細書に開示したフラッシュランプ１００を製造する例示的な方法に含まれる一連のステップを示している。
【００４６】
特に、例示的な方法は、５０２で、フラッシュランプ構成要素を組み立てることを含む。通常、これは、少なくとも、（複数の開口１０６ａ〜１０６ｅを有する）ヘッダ１０４と、電極１１０ａ〜１１０ｄ（これらの電極の１つ１１０ｄは、１１０ｄの一端を囲む電気絶縁性スリーブ１１５を有する）と、（２つの電極１１０ｂ、１１０ｃの端部用の）電極１１６ｂ、１１６ｃと、（他の電極１１０ａの端部用の）プローブ１１８と、チューブ１１２と、カバー２５０とを組み立てることを含む。
【００４７】
次に、方法は、５０４で、概ね、最終的なフラッシュランプアセンブリになるように、導電性リード１１０ａ〜１１０ｄ及びガス注入チューブ１０２をヘッダ１０４に対して配置することを含む。通常、これは、ヘッダ１０４に関する所望の構成に従って、電極１１０ａ〜１１０ｄ及びチューブ１１２を、それぞれがヘッダの開口の対応する１つを貫通した状態で保持する固定具を使用して行われる。
【００４８】
５０６で、方法は、ヘッダ１０４を封止することを含む。これは、通常、ヘッダ１０４の開口を貫通する構成要素（例えば、電極１１０ａ〜１１０ｄ又はチューブ１１２）を囲むヘッダ１０４の各開口にガラス予備成形体（又は他の封止材料）を置くことで行われる。ガラスは、温度及び雰囲気制御型オーブン内で溶融し、冷えることができ、それにより硬化して、ヘッダ１０４を貫通する構成要素をヘッダ１０４に対して所定の位置に固定することができる。
【００４９】
次に、５０８で、方法は、電極１１６ｂ、１１６ｃを導電性リード１１０ｂ、１１０ｃの末端部分に取り付け、プローブ１１８を導電性リード１１０ａの末端部分に取り付けることを含む。通常、電極１１６ｂ、１１６ｃ及びプローブ１１８は、対応する導電性リードに溶接される。電極１１６ｂ、１１６ｃ及びプローブ１１８は、やはり５０８で、図１Ａ及び図１Ｂに示すものなど、所望の構成に揃えられる。
【００５０】
典型的な実施形態では、この時点で得られるアセンブリは、例えば、図１及び図２に示すものと同様なベースアセンブリ１０２である。
【００５１】
さらに５０８で、カバー開口２５３を含むカバー２５０をベースアセンブリ１０２に取り付ける。この点について、通常、カバー２５０のフランジ２５２が、ベースアセンブリ１０２の対応するフランジ１０５に溶接される。
【００５２】
この時点で、ベースアセンブリ１０２及び固定されたカバー２５０は、ベースアセンブリ１０２を貫通している中空チューブ１１２以外は、封止されたフラッシュチャンバを規定する。
【００５３】
次に、５１０で、フラッシュチャンバにガスを充填して封止する。このため、典型的な実施形態では、チューブ１１２を使用してフラッシュチャンバを真空にすることと、フラッシュチャンバにキセノンを充填することと、次いで、チューブ１１２を閉鎖して、現時点でキセノンガスを含むフラッシュチャンバを密封することとを伴う。
【００５４】
図５Ａ及び図５Ｂは、電極を囲む電気絶縁性スリーブを橋渡しして中心に配置された電極の先端と、電気絶縁性スリーブの外側の導電面との間に発生したアーク放電６６８を示す写真である。図示した実施形態では、中心に配置された電極の先端、電気絶縁性スリーブの可視端部、及び導電面の可視部分はすべて、ほぼ同じ平面に位置している。
【００５５】
図５Ａ及び図５Ｂは、本明細書で開示したもの、例えば、図１Ａ及び図１Ｂのものと同様な構造で、効果的なアーク放電を行うことができることを示す助けとなる。
【００５６】
図６は、図１Ａ及び図１Ｂの１１０ｄと同様なスパーカ電極に印加される電圧を経時的に示すグラフである。グラフは、主放電電極１１６ｂ、１１６ｃの仕事関数を小さくするのに必要とされる光エネルギ光子を供給するスパーカ放電中に、比較的高い周波数でリンギング（ringing）が発生することを示している。
【００５７】
図７Ａ及び図７Ｂは、フラッシュランプ用の代替構造を示している。図７Ａ及び図７Ｂの構造は図１Ａ及び図１Ｂの構造と同様である。図７Ａ及び図７Ｂの構造と、図１Ａ及び図１Ｂに示す構造との間の最も顕著な相違は、図７Ａ及び図７Ｂの構造では、ガス注入チューブ７１２が中心に配置され、スパーカ電極１１０ｄが、その全長にわたって一定の直径とされることである。
【００５８】
本発明のいくつかの実施形態が説明された。それにもかかわらず、本発明の趣旨及び範囲から逸脱することなく、様々な修正を行うことができるのは当然のことである。
【００５９】
例えば、別途指摘された場合を除いて、独立した構成要素の数量、並びに、本明細書で開示した各構成要素の特定の相対配置及び大きさは変えることができる。例えば、一部の実施形態では、２つ以上の導電性リードが、導電性ヘッダの単一の開口を貫通するように構成され得る。この事例では、封止材料の１回の接触充填で、開口内の両方の導電性リードが封止される。
【００６０】
さらに、特定の実施形態では、本明細書で開示した１つ又は複数の構成要素は、変更するか又は完全に削除することができる。例えば、一部の実施形態では、独立した絶縁性スリーブは、スパーカの導電性リード開口の後ろ部分を埋める封止材料に置き換えることができる。あるいは、一部の実施形態では、スパーカの導電性リードの末端を囲む絶縁性スリーブは、スパーカの導電性リードを周囲部分の導電性ヘッダから絶縁する空の空間だけを残して、完全に削除することができる。
【００６１】
別の例として、一部の実施形態では、スパーカの導電性リードが貫通する開口の段付き構成をなくすことができる。さらに、一部の実施形態では、スパーカの導電性リード自体の段付き構成をなくすことができる。
【００６２】
本明細書で特に説明されていない他の構成要素を本明細書で説明したアセンブリに追加することができる。
【００６３】
本明細書で説明した構造体及び方法は、例えば、パルスキセノンフラッシュランプを含む、様々な異なるタイプのフラッシュランプに適用可能である。
【００６４】
方法は本明細書で変えることができ、様々なステップが、本明細書で説明したのと異なる順番で行われる。ステップの一部は並列して行うことができる。実際上、一部の実施形態では、ステップの一部は完全に削除することができる。
【００６５】
各種の材料及び技術が、本明細書で開示した様々な構成要素の製造及び取付けでの使用に適する。
【００６６】
当然のことながら、「近くの」、「上側の」、「下側の」、「〜の上」、「〜の下」、「前の」、「後ろの」などの、本明細書で使用した相対用語は、単に明確にするためのものであり、特定の位置及び／又は向き、あるいは相対位置決めを必要とする本明細書で説明したものの範囲を限定することを意図されていない。従って、そのような相対用語は、本願の範囲を限定すると解釈すべきでない。一般的に、あるものが、あるほかのものの近くにあると説明される場合、そのあるものは、そのあるほかのものの位置にあるか、又はそのあるほかのものから短い距離離れているか、又はそのあるほかのものに近いと解釈されるべきである。そのため、例えば、電極が、導電性リードの末端にある、又は末端に近いと説明された場合、電極は、導電性リードに沿ったいずれかの位置、例えば、末端の近くで、導電性リードの全長の２５％、又は１５％、又は１０％の位置に存在することができる。
【００６７】
さらに、実質的に、という用語、及び実質的な、などの類似語が本明細書で使用されている。別途指定されない限り、実質的に、及びその類似語は、完全に、及びほとんど完全に、を意味する（例えば、測定可能な量の場合、これは、９９％以上、９５％以上、９０％以上、８５％以上を意味する）と広く解釈すべきである。測定不可能な量（例えば、別の面に実質的に平行な面）の場合、実質的な、は、完全に、又はほとんど完全に、を意味する（例えば、数度以下（例えば、３度、４度、又は５度未満）だけ平行からずれている、と解釈すべきである。
【００６８】
他の実施形態は、請求項の範囲内である。
【図１Ａ】
2017004940.tif 000003
【図１Ｂ】
2017004940.tif 000004
【図２】
2017004940.tif 000005
【図３】
2017004940.tif 000006
【図４】
2017004940.tif 000007
【図５Ａ】
2017004940.tif 000008
【図５Ｂ】
2017004940.tif 000009
【図６】
2017004940.tif 000010
【図７Ａ】
2017004940.tif 000011
【図７Ｂ】
2017004940.tif 000012
【外国語明細書】
2017004940000001.pdf